【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
データを受信するステップと、
第１のバイトコード符号化処理を使用して前記データを符号化するステップと、
前記符号化されたデータをインタリーブするステップと、
第２のバイトコード符号化処理を使用して前記インタリーブされたデータを符号化するステップと、を含む方法。
【請求項２】
前記第１のバイトコード符号化処理および前記第２のバイトコード符号化処理が前記データを補足するためのガロア体生成行列を使用する、請求項１に記載の方法。
【請求項３】
前記生成行列は、ガロア体ＧＦ上で
（１  ２）
のように定義される、請求項２に記載の方法。
【請求項４】
前記生成行列が１／２レートの符号化レートを生成する、請求項３に記載の方法。
【請求項５】
前記生成行列がガロア体ＧＦ上で、
【数６】
2010527560.tif 000001
のように定義される、請求項２に記載の方法。
【請求項６】
前記生成行列が２／３レートの符号化レートを生成する、請求項５に記載の方法。
【請求項７】
前記第１のバイトコード符号化処理および前記第２のバイトコード符号化処理が相異なる符号化レートを使用する、請求項１に記載の方法。
【請求項８】
前記受信するステップにおける前記データが、各々が１８７バイトのデータを含むパケットに配列される、請求項１に記載の方法。
【請求項９】
前記符号化され、インタリーブされたデータをパンクチャするステップをさらに含む、請求項１に記載の方法。
【請求項１０】
前記パンクチャするステップは、前記符号化され、インタリーブされたデータからデータの一部を取り除くステップを含む、請求項９に記載の方法。
【請求項１１】
前記パンクチャするステップにより、パンクチャされたデータの各バイトのグループが形成され、前記グループにおけるバイトの数が２６の倍数である、請求項１０に記載の方法。
【請求項１２】
前記パンクチャするステップにより、パンクチャされたデータの各バイトのグループが形成され、前記グループにおけるバイトの数が２４の倍数である、請求項１０に記載の方法。
【請求項１３】
前記第１のバイトコード符号化処理を使用する符号化ステップは、前記受信されたデータの各バイトのグループを符号化するステップを含む、請求項１に記載の方法。
【請求項１４】
前記インタリーブするステップにおいて使用されるバイトの数は前記第１のバイトコード符号化処理によって出力される出力バイトの数と等しい、請求項１３に記載の方法。
【請求項１５】
前記インタリーブは、ホワイト・ノイズ・レベルでのバイト・エラー・レートを低下させることに基づくように構成される、請求項１に記載の方法。
【請求項１６】
前記インタリーブが以下のテーブルに従って行われる、請求項１に記載の方法。
【表１】
2010527560.tif 000002
【請求項１７】
前記インタリーブが以下のテーブルに従って行われる、請求項１に記載の方法。
【表２】
2010527560.tif 000003
【請求項１８】
前記第１のバイトコード符号化処理および第２のバイトコード符号化処理がガロア体ＧＦ直列連結型ブロックコード処理に含まれる、請求項１に記載の方法。
【請求項１９】
テレビジョン放送システムにおいて使用される、請求項１に記載の方法。
【請求項２０】
データを受信し、第１のバイトコード符号化処理を使用して前記データを符号化する第１の符号化器と、
前記第１の符号化器に結合されて前記第１の符号化器から前記符号化されたデータを受信し、前記データの順序を付け直すインタリーバと、
前記インタリーバに結合されて前記順序を付け直されたデータを受信し、第２のバイトコード符号化処理を使用して前記順序を付け直されたデータを符号化する第２の符号化器と、を含む装置。
【請求項２１】
前記インタリーバは、ホワイト・ノイズ・レベルでのバイト・エラー・レートを低下させることに基づいて前記データの順序を付け直す、請求項２０に記載の装置。
【請求項２２】
前記第１の符号化器および前記第２の符号化器が前記データを補足するためのガロア体生成行列を使用する、請求項２０に記載の装置。
【請求項２３】
前記第１の符号化器のための前記生成行列は、ガロア体ＧＦ上で
（１  ２）
および
【数７】
2010527560.tif 000004
のうちのいずれか一方のように定義され、
前記第２の符号化器のための前記生成行列は、ガロア体ＧＦ上で
（１  ２）
および
【数８】
2010527560.tif 000005
のうちのいずれか一方のように定義される、請求項２２に記載の装置。
【請求項２４】
前記第１の符号化器および前記第２の符号化器は、相異なる符号化レートを使用してデータを符号化する、請求項２０に記載の装置。
【請求項２５】
前記第１の符号化器は、１／２レートおよび２／３レートのうちの一方の符号化レートでデータを符号化し、前記第２の符号化器は、１／２レートおよび２／３レートのうちの一方の符号化レートでデータを符号化する、請求項２０に記載の装置。
【請求項２６】
前記第２の符号化器に結合されたパンクチャ・ブロックをさらに含み、前記パンクチャ・ブロックは、前記第２の符号化器から出力された、符号化されたデータの少なくとも一部を取り除く、請求項２０に記載の装置。
【請求項２７】
前記受信されたデータが、各々が１８７バイトのデータを含むパケットに配列される、請求項２０に記載の装置。
【請求項２８】
前記パンクチャ・ブロックに結合されたパケタイザ・ブロックをさらに含み、前記パケタイザ・ブロックは、２４個のパケット、２６個のパケット、および５２個のパケットのうちのいずれかの数のパケットのグループからなるパンクチャされたパケットのグループを出力する、請求項２７に記載に装置。
【請求項２９】
前記第１のバイト符号化器および前記第２の符号化器がガロア体ＧＦ直列連結型ブロック符号化器に含まれる、請求項２０に記載の装置。
【請求項３０】
第１のバイトコード符号化処理を使用して前記データを符号化する手段と、
前記符号化されたデータをインタリーブする手段と、
第２のバイトコード符号化処理を使用して前記インタリーブされたデータを符号化する手段と、を含む装置。
【請求項３１】
前記第１のバイトコード符号化処理を使用して符号化する手段および前記第２のバイトコード符号化処理を使用して符号化する手段が前記データを補足するためのガロア体生成行列を使用する手段を含む、請求項３０に記載の装置。
【請求項３２】
前記符号化処理における前記データが、各々が１８７バイトのデータを含むパケットに配列される、請求項３０に記載の装置。
【請求項３３】
データを受信するステップと、
第１のバイトコード復号処理を使用して前記データを復号するステップと、
前記符号化されたデータをデインタリーブするステップと、
第２のバイトコード復号処理を使用して前記デインタリーブされたデータを復号するステップと、を含む方法。
【請求項３４】
前記受信するステップにおける前記データが、各々が２０７バイトのデータを含むパケットに配列される、請求項３３に記載の方法。
【請求項３５】
前記復号された、デインタリーブされたデータを処理してモバイル受信機用のデータストリームを生成するステップをさらに含む、請求項３３に記載の方法。
【請求項３６】
データを受信し、第１のバイトコード復号処理を使用して前記データを復号する第１の復号器と、
前記第１の復号器に結合されて前記復号されたデータの順序を付け直すデインタリーバと、
前記デインタリーバに結合されて第２のバイトコード復号処理を使用して前記順序を付け直されたデータを復号する第２の復号器と、を含む信号受信装置。
【請求項３７】
前記第１の復号器に結合されたトレリス復号器をさらに含み、前記トレリス復号器は、畳み込み復号処理を使用して前記データの受信および前記データの復号を行い、
前記第１の復号器は、前記トレリス復号器にフィードバックを提供する、請求項３６に記載の装置。
【請求項３８】
前記第２の復号器は、前記第１の復号器にフィードバックを提供する、請求項３６に記載の装置。
【請求項３９】
前記受信されたデータが、各々が２０７バイトのデータを含むパケットに配列される、請求項３６に記載の装置。